(57)【要約】【課題】駆動手段に電気を供給する電源ラインに過電流が流れた場合に該駆動手段に対する電気の供給を制限する構成を、低コストで実施可能とする。【解決手段】作動装置に備えられた電気式の駆動モータ３２と該駆動モータ３２に電気を供給する電源装置とを電気的に接続して、該電源装置から該駆動モータ３２に電気を供給する第１電源ラインＬ１および第２電源ラインＬ２に、正の温度係数を有する過電流保護素子７０が設ける。第１電源ラインＬ１または第２電源ラインＬ２に、過電流保護素子のトリップ電流値より大きい電流が流れた場合に、過電流保護素子７０が温度上昇して該過電流保護素子７０の抵抗値が高くなることで、電源装置から駆動モータ３２への電気供給を制限する。【選択図】図８
2014223214.tif 000002
【特許請求の範囲】
【請求項１】
電動式の駆動手段を備えた作動装置と、前記駆動手段に電気を供給する電気供給手段とを備えた遊技機において、
前記駆動手段と前記電気供給手段とを電気的に接続して、該電気供給手段から該駆動手段に電気を供給する電源ラインに、正の温度係数を有する過電流保護素子が設けられ、
前記電源ラインに過電流が流れた場合に、前記過電流保護素子が温度上昇して抵抗値が高くなることで、前記電気供給手段から駆動手段への電気供給を制限するよう構成した
ことを特徴とする遊技機。
【請求項２】
前記過電流保護素子は、前記電気供給手段および駆動手段からの電源ライン用の配線が接続される中継基板において、該電源ラインを構成する配線パターン上に設けられている請求項１記載の遊技機。
【請求項３】
１つの前記過電流保護素子が、複数の前記電源ラインの各々に共用可能に設けられ、
前記複数の電源ラインの何れかに過電流が流れた場合に、前記過電流保護素子が温度上昇して抵抗値が高くなることで、各電源ラインに電流が流れるのを制限するよう構成した請求項１または２記載の遊技機。
【請求項４】
前記駆動手段に近接する部位に、前記中継基板を取り付ける基板取付部が設けられ、
前記中継基板を前記基板取付部に取り付けることで、前記過電流保護素子が前記駆動手段に近接して配置されるよう構成した請求項２記載の遊技機。
【発明の詳細な説明】
【技術分野】
【０００１】
この発明は、電動式の駆動手段を備えた作動装置と、前記駆動手段に電気を供給する電気供給手段とを備えた遊技機に関するものである。
【背景技術】
【０００２】
代表的な遊技機であるパチンコ機は、機内にセットされる遊技盤の盤面に画成した遊技領域の内側に演出領域が設けられ、該演出領域に臨むように遊技盤の後側に配設した図柄表示装置により図柄変動演出を行なうよう構成されている。また、遊技盤における演出領域の周囲には、図柄表示装置での図柄変動演出に合わせて動作する可動体を備えた可動演出装置が配設されている。この可動演出装置は、パチンコ機に搭載された制御手段により制御される駆動手段を備えると共に、この駆動手段に可動体が連係されており、駆動手段の駆動により可動体が姿勢変位したり移動することで演出効果を高めるよう構成されている。このような可動演出装置は、特許文献１に開示されている。
【先行技術文献】
【特許文献】
【０００３】
【特許文献１】特開２００４−２９０３０８号公報
【発明の概要】
【発明が解決しようとする課題】
【０００４】
前記可動演出装置は、電気式の駆動手段(例えば、モータや電磁ソレノイド等)を採用している。そして、可動演出装置は、演出効果を高めるために可動体が大型化しており、該可動体を動作させる駆動手段にかかる負荷が大きくなり易くなっている。このため、駆動手段が過負荷によって異常発熱すると、電源供給部から該駆動手段に電気を供給する電源ラインに過電流が流れることがあり、一般的に該電源ラインにはヒューズが配設されている。しかし、電源ラインがショートしてヒューズが切れた場合には、新しいヒューズに交換する必要があるから、ヒューズの交換作業を要すると共にコストが嵩む問題が生じている。
【０００５】
本発明は、前述した課題を解決するために案出されたものであって、駆動手段に電気を供給する電源ラインに過電流が流れた場合に該駆動手段に対する電気の供給を制限する構成を、低コストで実施可能とした遊技機を提供することを目的とする。
【課題を解決するための手段】
【０００６】
前記課題を克服し、所期の目的を達成するため、本願の請求項１に係る発明は、
電動式の駆動手段(32)を備えた作動装置(30)と、前記駆動手段(32)に電気を供給する電気供給手段(101A)とを備えた遊技機において、
前記駆動手段(32)と前記電気供給手段(101A)とを電気的に接続して、該電気供給手段(101A)から該駆動手段(32)に電気を供給する電源ライン(L/L1,L2)に、正の温度係数を有する過電流保護素子(70)が設けられ、
前記電源ライン(L/L1,L2)に過電流が流れた場合に、前記過電流保護素子(70)が温度上昇して抵抗値が高くなることで、前記電気供給手段(101A)から駆動手段(32)への電気供給を制限するよう構成したことを要旨とする。
請求項１に係る発明によれば、駆動手段の異常発熱等により該駆動手段に電気を供給する電源ラインに過電流が流れた場合に、過電流保護素子が温度上昇して抵抗値が高くなるから、該駆動手段に電気が供給されることを制限し得る。また、過電流保護素子は、温度が低下すると抵抗値が低くなって再利用可能であるから、交換作業を不要とすると共にコストを抑えることもできる。
【０００７】
請求項２に記載の発明では、
前記過電流保護素子(70)は、前記電気供給手段(101A)および駆動手段(32)からの電源ライン(L/L1,L2)用の配線が接続される中継基板(60)において、該電源ライン(L/L1,L2)を構成する配線パターン(61C)上に設けられていることを要旨とする。
請求項２に係る発明によれば、駆動手段からの配線および電気供給手段からの配線の接続を解除することで、過電流保護素子が配設された中継基板を取外して再利用がすることが可能となり、コストを抑えることができる。
【０００８】
請求項３に記載の発明では、
１つの前記過電流保護素子(70)が、複数の前記電源ライン(L/L1,L2)の各々に共用可能に設けられ、
前記複数の電源ライン(L/L1,L2)の何れかに過電流が流れた場合に、前記過電流保護素子(70)が温度上昇して抵抗値が高くなることで、各電源ライン(L/L1,L2)に電流が流れるのを制限するよう構成したことを要旨とする。
請求項３に係る発明によれば、１つ過電流保護素子を複数の電源ラインで共用するので、各電源ライン毎に過電流保護素子を配設する必要がなく、コストを抑えることができる。
【０００９】
請求項４に記載の発明では、
前記駆動手段(32)に近接する部位に、前記中継基板(60)を取り付ける基板取付部(28)が設けられ、
前記中継基板(60)を前記基板取付部(28)に取り付けることで、前記過電流保護素子(70)が前記駆動手段(32)に近接して配置されるよう構成したことを要旨とする。
請求項４に係る発明によれば、基板取付部に中継基板を取り付けることで過電流保護素子が該駆動手段に近接して配置されるから、駆動手段の温度上昇に伴って過電流保護素子の温度も上昇し易くなり、駆動手段が異常過熱し始めた際には早い段階で該駆動手段に対する電気の供給を制限し得る。
【発明の効果】
【００１０】
本発明に係る遊技機によれば、駆動手段に電気を供給する電源ラインに過電流が流れた場合に該駆動手段に対する電気の供給を制限する構成を、低コストで実施することができる。
【図面の簡単な説明】
【００１１】
【図１】本発明の実施例に係るパチンコ機の正面図である。
【図２】図１に示すパチンコ機の背面図である。
【図３】可動体および駆動モータを備えた可動演出装置が、遊技盤の後側に配設された設置部材に取り付けられた状態を示す正面図である。
【図４】設置部材に設けられたモータ固定部および基板取付部と、モータ取付板に固定した駆動モータおよび中継基板とを、分離した状態で示す正面図である。
【図５】図３のＶ−Ｖ線断面図である。
【図６】設置部材に設けられたモータ固定部および基板取付部と、中継基板および駆動モータとを、分離した状態で示す断面図である。
【図７】統括制御基板に接続される駆動制御基板と駆動モータとを、過電流保護素子を実装した中継基板により電気的に接続した形態を示す説明図である。
【図８】駆動制御基板、第２配線、中継基板および第３配線により形成される駆動モータ用の電源ラインの概略図である。
【図９】素子の温度変化により該素子の抵抗値が急減に変化する過電流保護素子の特性を示すグラフである。
【図１０】統括制御基板と駆動モータに接続される駆動制御基板とを、過電流保護素子を実装した中継基板により電気的に接続した形態を示す説明図である。
【図１１】可動体および駆動モータを備えてユニット化された可動演出装置が、遊技盤の後側に配設された設置部材に取り付けられた状態を示す正面図である。
【図１２】複数基の駆動モータを備えた作動装置において、各駆動モータに対する電源ラインの共用部分に、１つの過電流保護素子を配設した形態を概略的に示す説明図である。
【発明を実施するための形態】
【００１２】
次に、本発明に係る遊技機につき、好適な実施例を挙げて、添付図面を参照して以下に説明する。なお、実施例では、遊技機として、遊技球としてパチンコ球を用いて遊技を行なうパチンコ機を例に挙げる。また、以下の説明において前・後および左・右とは、特に断りのない限り、図１に示すようにパチンコ機を正面側(遊技者側)から見た場合において指称するものとする。
【実施例】
【００１３】
(パチンコ機の概略構成)
実施例に係るパチンコ機Ｐは、図１および図２に示すように、矩形枠状に形成されて遊技店の図示しない設置枠台に固定される固定枠としての外枠Ａの開口前面側に、遊技盤Ｄが着脱可能に保持された本体枠としての中枠Ｂが開閉および着脱可能に組み付けられている。また、遊技盤Ｄの裏側には、各種演出用の図柄を変動表示可能な図柄表示装置Ｈが着脱可能に配設されている。中枠Ｂの前面側には、遊技盤Ｄを透視保護するガラス板１０を備えた装飾枠としての前枠Ｃが開閉可能に組み付けられると共に、パチンコ球を貯留する下球皿Ｆが前枠Ｃの下方に開閉可能に組み付けられる。そして、前枠Ｃの下部には、下球皿Ｆの上側に位置して、パチンコ球を貯留する上球皿Ｅが組み付けられており、前枠Ｃの開閉に合わせて上球皿Ｅも一体的に開閉するよう構成される。また、中枠Ｂにおける下球皿Ｆの右側に、回動操作可能な操作ハンドルＧが配設されており、該操作ハンドルＧの回動操作によって中枠Ｂの下部に設けられた打球発射装置(図示せず)が作動して、上球皿Ｅに貯留したパチンコ球が遊技盤Ｄの遊技領域１２に向けて打ち出されるようになっている。なお、上球皿Ｅは、前枠Ｃと別体に形成して中枠Ｂに対して開閉可能に組み付けるようにしてもよい。
【００１４】
(遊技盤)
前記遊技盤Ｄは、図１および図３に示すように、ベニヤ板や透明なアクリル板を加工して形成され、その前面に画成された遊技領域１２には、パチンコ球の入賞により図柄表示装置Ｈの図柄を変動開始させる始動入賞装置や、大当りの発生時に開放する特別入賞装置(何れも図示せず)等が配設されている。そして、遊技盤Ｄには、図柄表示装置Ｈの表示部Ｈ１に対応する位置に前後に開口する表示開口部１３が開設され、所要の装飾を施したセンター役物とも称される枠状の装飾部材１４が、該表示開口部１３を囲うように取り付けられている。また、遊技盤Ｄの後側には、裏ユニットとも称される設置部材２０が取り付けられている。
【００１５】
(設置部材)
図３および図５に示すように、前記設置部材２０は、前方に開口した部材であり、略矩形の設置板部２１と、該設置板部２１の外周縁から前方へ延出した枠状の枠板部２２と、枠板部２２の前端から側方、上方および下方へ延出するよう形成された取付板部２３とを備え、該取付板部２３を遊技盤Ｄの後面にネジにより固定して該遊技盤Ｄに取り付けられる。そして、設置部材２０を遊技盤Ｄの後側に取り付けた状態では、該遊技盤Ｄの後面と該設置部材２０の設置板部２１との間に空間２４が画成されている。設置板部２１には、前後に開口した設置開口２５が形成され、該設置板部２１の後側には、各種図柄を変動表示可能な表示部Ｈ１を備えた図柄表示装置Ｈが、該表示部Ｈ１を設置開口２５に臨ませた状態で配設されている(図３参照)。設置板部２１の前側において設置開口２５の上部には、後述する可動演出装置３０の可動体３１を支持するガイド部２６,２６と、駆動手段としての駆動モータ３２を固定するモータ固定部２７とが設けられている。なお、設置板部２１の前側における設置開口２５の左部および右部には、図示しない可動演出装置や装飾部材等を取り付け得るようになっている。また、図柄表示装置Ｈは、表示部Ｈ１として液晶画面を備えた液晶タイプの図柄表示装置や、図柄ドラムを備えたドラム式の図柄表示装置や、ドットマトリックス式の図柄表示装置等を採用し得る。
【００１６】
図２に示すように、パチンコ機Ｐの裏側略中央部には、当該パチンコ機Ｐを制御する主制御基板１００Ａを備えた主制御装置１００が配設されている。遊技盤Ｄの後面(設置部材２０の後側)に着脱可能に配設された図柄表示装置Ｈの後面には、遊技盤Ｄに配設された発光装置(図示せず)や可動演出装置３０を制御したり、前枠Ｃに設けられるランプ装置やスピーカ等を制御する統括制御基板１０１Ａを備えた統括制御装置１０１が配設されている。また、図柄表示装置Ｈの後面には、右側(図２では左側)に偏倚した部位に設置された統括制御装置１０１の左側に、図柄表示装置Ｈを制御する表示制御基板１０２Ａを備えた表示制御装置１０２が配設されている。更に、中枠Ｂの下部に設けられた球通出案内部１５の後面には、パチンコ機Ｐの電源制御を行なう電源基板１０３Ａ(図７参照)を備えた電源装置(電源供給手段)１０３や、打球発射装置を制御する発射制御基板を備えた発射制御装置１０４や、中枠Ｂに設けられた球通路ユニット１６に配設した球払出装置１０５を制御する払出制御基板を備えた払出制御装置１０６や、外部端末に接続されるインターフェース基板１０７などの各種基板が配設されている。なお、図７に示すように、主制御基板１００Ａと統括制御基板１０１Ａとは、メイン配線７７を介して電気的に接続され、電源基板１０３Ａと統括制御基板１０１Ａとは電源配線７５を介して電気的に接続され、図柄表示装置Ｈに接続される表示制御基板１０２Ａと統括制御基板１０１Ａとは、表示配線７８を介して電気的に接続されている。また、統括制御基板１０１Ａと可動演出装置３０とは、駆動制御基板１０８および中継基板６０を介して電気的に接続されいる。
【００１７】
このようなパチンコ機Ｐでは、上球皿Ｅから球送り装置および打球発射装置を介して遊技盤Ｄの遊技領域１２へ打ち込まれた遊技球が、該遊技領域１２内に配設された始動入賞装置に入賞することにより、主制御装置１００、統括制御装置１０１および表示制御装置１０２による所定の制御に基づき、該遊技盤Ｄの表示開口部１３に臨むように配設された図柄表示装置Ｈでの図柄変動演出が開始されると共に、該統括制御装置１０１および駆動制御基板１０８による所定の制御に基づき、所要のタイミングで可動演出装置３０が作動する。そしてパチンコ機Ｐは、図柄表示装置Ｈにおける図柄変動演出の結果として、表示開口部１３に臨む表示部Ｈ１の図柄が所定の組み合わせで停止することにより遊技者に有利な特別遊技状態(例えば「大当り」)が発生すると、遊技盤Ｄの遊技領域１２に設けられた特別入賞装置の特別入賞口が開放して多数の遊技球の入賞が可能となり、遊技球の入賞に基づいて払出制御装置１０６の制御により球払出装置１０５が作動して多数のパチンコ球が賞球として上球皿Ｅまたは下球皿Ｆへ払い出される。
【００１８】
(可動演出装置)
前記可動演出装置３０は、図３〜図６に概略的に示すように、設置部材２０に設けられたガイド部２６,２６に移動可能に取り付けられる可動体３１と、ガイド部２６の左側に設けられたモータ固定部２７に固定される駆動モータ３２と、該可動体３１および駆動モータ３２を連結する連係機構３３とを備えている。可動演出装置３０は、図７に示すように、統括制御装置１０１に第１配線４５を介して電気的に接続された駆動制御基板１０８の制御による駆動モータ３２の回転駆動により、可動体３１が、表示開口部１３から上方へ退避した初期位置(図３に実線で表示)および該表示開口部１３に延出した作動位置(図３に２点鎖線で表示)の間で昇降移動するよう構成されている。
【００１９】
(可動体)
前記可動体３１は、図３および図５に示すように、設置部材２０の設置板部２１に設けられた一対のガイド部２６,２６に摺動可能に係合する支持部３４,３４が後部に設けられると共に、連係機構３３を構成するラックギア３５が左側部に設けられている。各ガイド部２６,２６は、設置板部２１に対して左右に離間した位置に設けられ、上下方向へ平行に延在している。各支持部３４,３４は、対応するガイド部２６,２６に対し、前後方向および左右方向の移動が規制され、該ガイド部２６,２６に沿う上下方向の移動のみが許容されている。これにより、可動体３１は、各支持部３４,３４が各ガイド部２６,２６に支持された状態で摺動することで、前述した初期位置および作動位置の間を移動する。なお、可動体３１は、所要の装飾が施されている。
【００２０】
(駆動モータ)
実施例の可動演出装置３０では、図８に概略的に示すように、前記駆動モータ３２として、第１コイル４０および第２コイル４１を回転子の周りに複数組有する２相ユニポーラタイプのステッピングモータが採用されている。第１コイル４０は、該第１コイル４０の一端側の第１コイル端４０Ａ、他端側の第２コイル端４０Ｂ、コイルの中間から延出した第３コイル端４０Ｃを備え、該第３コイル端４０Ｃがコモンとなっている。従って、第１コイル４０は、第３コイル端４０Ｃから第１コイル端４０Ａに向けて電流が流れた場合に、該第３コイル端４０Ｃと第１コイル端４０Ａとの間が励磁され、該第３コイル端４０Ｃから第２コイル端４０Ｂに向けて電流が流れた場合に、該第３コイル端４０Ｃと第２コイル端４０Ｂとの間が励磁される。また、第２コイル４１は、該第２コイル４１の一端側の第４コイル端４１Ａ、他端側の第５コイル端４１Ｂ、コイルの中間から延出した第６コイル端４１Ｃを備え、該第６コイル端４１Ｃがコモンとなっている。従って、第２コイル４１は、第６コイル端４１Ｃから第４コイル端４１Ａに向けて電流が流れた場合に、該第６コイル端４１Ｃと第４コイル端４１Ａとの間が励磁され、該第６コイル端４１Ｃから第５コイル端４１Ｂに向けて電流が流れた場合に、該第６コイル端４１Ｃと第５コイル端４１Ｂとの間が励磁される。
【００２１】
(連係機構)
連係機構３３は、図３および図５に示すように、駆動モータ３２の駆動軸３２Ａに固定された駆動ギア３６と、可動体３１に設けられたラックギア３５と、後述するモータ取付板３８に回転自在に配設され、駆動ギア３６およびラックギア３５に各々噛合して該駆動ギア３６の回転をラックギア３５に伝達する中間ギア３７とを備えている。従って、図３において駆動モータ３２が反時計方向へ回転(左回転)すると可動体３１が下方へ移動し、図３において駆動モータ３２が時計方向へ回転(右回転)すると可動体３１が上方へ移動する。
【００２２】
前記駆動モータ３２は、図７および図８に示すように、モータ駆動用の駆動制御基板１０８に対し、中継基板６０を介して電気的に接続されている。すなわち、駆動制御基板１０８と中継基板６０とは第２配線５０で電気的に接続されると共に、該中継基板６０と駆動モータ３２とは第３配線５５で電気的に接続されている。ここで、駆動モータ３２の第１コイル４０と駆動制御基板１０８とは、第２配線５０の第１〜第３電線５１Ａ,５１Ｂ,５１Ｃ、中継基板６０の第１〜第３プリント配線６１Ａ,６１Ｂ,６１Ｃ、第３配線５５の第１〜第３電線５６Ａ,５６Ｂ,５６Ｃで構成された第１電源ラインＬ１を介して電気的に接続されている。また、駆動モータ３２の第２コイル４１と駆動制御基板１０８とは、第２配線５０の第４〜第６電線５１Ｄ,５１Ｅ,５１Ｆ、中継基板６０の第３〜第５プリント配線６１Ｃ,６１Ｄ,６１Ｅ、第３配線５５の第４〜第６電線５６Ｄ,５６Ｅ,５６Ｆで構成された第２電源ラインＬ２を介して電気的に接続されている。従って、駆動モータ３２は、駆動制御基板１０８から第１コイル４０へのパルス信号および第２コイル４１へのパルス信号を所定のパターンで切り替え、各コイル４０,４１に所定のタイミングで電流を流して該コイル４０,４１を励磁させることで、磁性体からなる回転子が配設された駆動軸３２Ａが回転するよう構成されている。なお、駆動モータ３２には、駆動軸３２Ａの回転角度を検知するセンサ(図示せず)が配設されており、駆動軸３２Ａの実際の回転角度を検知するよう構成されている。
【００２３】
(第１配線)
統括制御装置１０１の統括制御基板１０１Ａと駆動制御基板１０８とを接続する前記第１配線４５は、図７および図８に示すように、複数の電線４６(図８では、２本のみ表示)と、各電線４６の一方の端部に配設されて、統括制御基板１０１Ａの統括接続端子１０１Ｂに連結される第１コネクタ４７と、各電線４６の他方の端部に配設されて、駆動制御基板１０８の第１駆動コネクタ１０８Ａに連結される第２コネクタ４８とを備えている。第１配線４５には、統括制御基板１０１Ａから駆動制御基板１０８に電気を供給するための電源線４６Ａと、統括制御基板１０１Ａと駆動制御基板１０８との間で信号を送受信するための信号線４６Ｂとを備えている。
【００２４】
(第２配線)
駆動制御基板１０８と中継基板６０とを接続する前記第２配線５０は、図８に示すように、複数(実施例では９本)の電線(第１〜第９電線５１Ａ〜５１Ｉ)と、各電線５１Ａ〜５１Ｉの一方の端部に配設されて、駆動制御基板１０８の第２駆動コネクタ１０８Ｂに連結される第１コネクタ５２と、各電線５１Ａ〜５１Ｉの他方の端部に配設されて、中継基板６０の第１中継コネクタ６２に分離可能に連結される第２コネクタ５３とを備えている。第１コネクタ５２は、第１〜第９電線５１Ａ〜５１Ｉに対応した第１〜第９端子(図８では「１」〜「９」の数字で表示)が配設され、第２コネクタ５３は、第１〜第９電線５１Ａ〜５１Ｉに対応した第１〜第９端子(図８では「１」〜「９」の数字で表示)が配設されている。ここで、第２配線５０においては、第１〜第３電線５１Ａ,５１Ｂ,５１Ｃが前述した第１電源ラインＬ１用に使用され、第４〜第６電線５１Ｄ,５１Ｅ,５１Ｆが第２電源ラインＬ２用に使用される。また、第７電線５１Ｇは、駆動モータ３２に配設されたセンサ用の信号ラインとして使用され、第８および第９電線５１Ｈ,５１Ｉは、該センサ用の電源ラインとして使用される。
【００２５】
(第３配線)
駆動モータ３２のモータコネクタ４２と中継基板６０とを接続する前記第３配線５５は、複数(実施例では９本)の電線(第１〜第９電線５６Ａ〜５６Ｉ)と、各電線５６Ａ〜５６Ｉの一方の端部に配設されて、中継基板６０の第２中継コネクタ６３に分離可能に連結される第１コネクタ５７と、各電線５６Ａ〜５６Ｉの他方の端部に配設されて、モータコネクタ４２に連結される第２コネクタ５８とを備えている。第１コネクタ５７は、第１〜第９電線５６Ａ〜５６Ｉに対応した第１〜第９端子(図８では「１」〜「９」の数字で表示)が配設され、第２コネクタ５８は、第１〜第９電線５６Ａ〜５６Ｉに対応した第１〜第９端子(図８では「１」〜「９」の数字で表示)が配設されている。ここで、第３配線５５においては、第１〜第３電線５６Ａ,５６Ｂ,５６Ｃが前述した第１電源ラインＬ１用に使用され、第４〜第６電線５６Ｄ,５６Ｅ,５６Ｆが第２電源ラインＬ２用に使用される。また、第７電線５６Ｇは、駆動モータ３２に配設されたセンサ用の信号ラインとして使用され、第８および第９電線５６Ｈ,５６Ｉは、該センサ用の電源ラインとして使用される。
【００２６】
(モータコネクタ)
図８に示すように、駆動モータ３２に配設されたモータコネクタ４２は、第３配線５５の第２コネクタ５８における第１〜第９端子に対応する第１〜第９端子(図８では「１」〜「９」の数字で表示)が配設されている。モータコネクタ４２の第１端子は第１コイル４０の第１コイル端４０Ａに接続され、第２端子は第１コイル４０の第２コイル端４０Ｂに接続され、第３端子は第１コイル４０の第３コイル端４０Ｃに接続されている。また、モータコネクタ４２の第４端子は第２コイル４１の第６コイル端４１Ｃに接続され、第５端子は第２コイル４１の第４コイル端４１Ａに接続され、第６端子は第２コイル４１の第５コイル端４１Ｂに接続されている。そして、モータコネクタ４２の第７端子は、駆動モータ３２に配設されたセンサの信号端子に接続され、第８および第９端子は、該センサの電源端子に各々接続される。
【００２７】
(中継基板)
中継基板６０は、図４および図８に示すように、基板ベースの表面に、電気が導通可能な複数(実施例では８本)のプリント配線(第１〜第８プリント配線６１Ａ〜６１Ｈ)がパターン形成され、基板ベースの一方の端縁部に、第２配線５０の第２コネクタ５３が分離可能に差し込み連結される第１中継コネクタ６２が設けられると共に、基板ベースの他方の端縁部に、第３配線５５の第１コネクタ５７が分離可能に差し込み連結される第２中継コネクタ６３が設けられている。第１中継コネクタ６２は、第２配線５０の第２コネクタ５３における第１〜第９端子に各々接続される第１〜第９端子(図８では「１」〜「９」の数字で表示)を備え、第２中継コネクタ６３は、第３配線５５の第１コネクタ５７における第１〜第９端子に各々接続される第１〜第９端子(図８では「１」〜「９」の数字で表示)を備えている。
【００２８】
前記第１プリント配線６１Ａは、一方の端部に第１中継コネクタ６２の第１端子がはんだ接合されると共に、他方の端部に第２中継コネクタ６３の第１端子がはんだ接合されている。第２プリント配線６１Ｂは、一方の端部に第１中継コネクタ６２の第２端子がはんだ接合されると共に、他方の端部に第２中継コネクタ６３の第２端子がはんだ接合されている。第３プリント配線６１Ｃは、両端が各々二股に分岐するように形成され、一方の各端部に第１中継コネクタ６２の第３端子および第４端子が各々はんだ接合されると共に、他方の各端部に第２中継コネクタ６３の第３端子および第４端子が各々はんだ接合されている。第４プリント配線６１Ｄは、一方の端部に第１中継コネクタ６２の第５端子がはんだ接合されると共に、他方の端部に第２中継コネクタ６３の第５端子がはんだ接合されている。第５プリント配線６１Ｅは、一方の端部に第１中継コネクタ６２の第６端子がはんだ接合されると共に、他方の端部に第２中継コネクタ６３の第６端子がはんだ接合されている。ここで、第１〜第３プリント配線６１Ａ,６１Ｂ,６１Ｃは第１電源ラインＬ１として使用され、第３〜第５プリント配線６１Ｃ,６１Ｄ,６１Ｅが第２電源ラインＬ２として使用され、該第３プリント配線６１Ｃが、第１電源ラインＬ１および第２電源ラインＬ２に共用されるよう構成されている。なお、第３プリント配線６１Ｃは、長手方向の略中間で第１中継コネクタ６２側と第２中継コネクタ６３側とが分離しており、この分離した部分には、後述する過電流保護素子７０が、第１中継コネクタ６２側と第２中継コネクタ６３側とを導通するように実装されている。
【００２９】
第６プリント配線６１Ｆは、一方の端部に第１中継コネクタ６２の第７端子がはんだ接合されると共に、他方の端部に第２中継コネクタ６３の第７端子がはんだ接合され、第７プリント配線６１Ｇは、一方の端部に第１中継コネクタ６２の第８端子がはんだ接合されると共に、他方の端部に第２中継コネクタ６３の第８端子がはんだ接合され、第８プリント配線６１Ｈは、一方の端部に第１中継コネクタ６２の第９端子がはんだ接合されると共に、他方の端部に第２中継コネクタ６３の第９端子がはんだ接合されている。そして、第６プリント配線６１Ｆは、駆動モータ３２に配設されたセンサ用の信号ラインとして使用され、第７および第８プリント配線６１Ｇ,６１Ｈは、該センサ用の電源ラインとして使用される。
【００３０】
(過電流保護素子について)
実施例のパチンコ機Ｐでは、図４および図８に示すように、駆動モータ(駆動手段)３２と電気供給手段としての電源装置１０３とを電気的に接続する第１電源ラインＬ１および第２電源ラインＬ２に、過電流保護素子７０を備えている。過電流保護素子７０は、正の温度係数を持つポリマー系のＰＴＣサーミスタ(Positive Temperature Coefficient thermistor)で、絶縁体であるポリマーと導電体であるカーボンとの特殊な配合からなる抵抗体素子であって、温度に応じて導電特性が可変するよう構成された素子である。過電流保護素子７０は、図９に示すように、平常状態では、ポリマー中に分散したカーボンが無数の導電パスを形成することで抵抗値が低く維持されて電力損失を低く抑える一方、該過電流保護素子７０の温度が上昇すると、ポリマーの熱膨張による体積変化によりカーボンの導電パスが切断されて、Ｔ℃(例えば１１０℃)を越えると、抵抗値が例えば１０４〜１０６倍程度まで急激に上昇(トリップ)するよう構成されている。そして、過電流保護素子７０は、該過電流保護素子７０の温度がＴ℃以下に戻ると、ポリマーの熱収縮によりカーボンが再び無数の導電パスを形成して抵抗値が低くなるようになっている。
【００３１】
実施例では、チップタイプの過電流保護素子７０が、中継基板６０の第３プリント配線６１Ｃ上に面実装され、該過電流保護素子７０により第３プリント配線６１Ｃの第１中継コネクタ６２側と第２中継コネクタ６３側とが電気的に導通している。なお、実施例の過電流保護素子７０は、例えばトリップ時に素子に印加可能な最大電圧値が２４.０Ｖ、安全に遮断することができる最大電流値が４０Ａ、パチンコ機Ｐの標準的な使用環境温度(例えば２０℃)においてトリップせずに流すことができる最大電流値が０.７５Ａ、トリップする最小電流値(以降、「トリップ電流値」という)が１.５Ａとなるよう構成されている。これにより、実施例のパチンコ機Ｐは、第１電源ラインＬ１および第２電源ラインＬ２に、過電流保護素子７０のトリップ電流値以下の電流が流れている場合に、過電流保護素子７０がＴ℃以下となって該過電流保護素子７０の抵抗値が低く維持されることで、統括制御基板１０１Ａ、駆動制御基板１０８、中継基板６０を介して電源装置１０３から駆動モータ３２への電気供給が行なわれる。そして、第１電源ラインＬ１および第２電源ラインＬ２の少なくとも一方に、過電流保護素子７０のトリップ電流値より大きい電流(過電流)が流れた場合に、過電流保護素子７０がＴ℃より上昇して該過電流保護素子７０の抵抗値が高くなることで、電源装置１０３から駆動モータ３２への電気供給を制限するよう構成されている。
【００３２】
前記駆動モータ３２は、図３〜図６に示すように、モータ取付板３８にモータ本体が固定され、該モータ取付板３８をモータ固定部２７に固定することで、設置部材２０に固定される。モータ取付板３８は、略矩形状の板状部材であり、駆動軸３２Ａが挿通される挿通孔３８Ａが、上下方向における中央下方に形成されると共に、モータ固定部２７にねじ込まれるネジが挿通するネジ挿通孔３８Ｂが、各隅部の近傍に形成されている。そして、駆動モータ３２は、挿通孔３８Ａに駆動軸３２Ａを挿通させた状態でモータ取付板３８の後面にネジ等により固定され、駆動軸３２Ａが該挿通孔３８Ａから前方へ延出した状態となる。なお、挿通孔３８Ａから前方へ延出した駆動軸３２Ａには、連係機構３３を構成する駆動ギア３６が固定されている。
【００３３】
(モータ固定部)
図４〜図６に示すように、前記設置部材２０の設置板部２１に設けられたモータ固定部２７は、設置板部２１の前面から前方へ突出した枠状の壁部により構成され、該壁部で囲まれた部分に、前方に開口した収容空間２７Ａが画成されている。モータ固定部２７の各隅部には、前述したモータ取付板３８に形成された各ネジ挿通孔３８Ｂが整合するネジ孔２７Ｂが形成されており、該ネジ挿通孔３８Ｂに挿通させたネジを該ネジ孔２７Ｂにねじ込むことで、モータ取付板３８がモータ固定部２７に締結されるようになっている。ここで、モータ取付板３８は、モータ固定部２７の前側開口を全面的に覆蓋し得る形状に形成されており、モータ取付板３８をモータ固定部２７に固定することで、収容空間２７Ａが密閉されるように構成されている。また、モータ固定部２７を構成する壁部の前方延出長は、駆動モータ３２のモータ本体の全長より大きく設定されており、駆動モータ３２を固定したモータ取付板３８をモータ固定部２７に締結した際に、該駆動モータ３２のモータ本体が設置板部２１に接触しないようになっている(図５参照)。
【００３４】
(基板取付部)
図４〜図６に示すように、モータ固定部２７は、駆動モータ３２と中継基板６０とを収容可能な大きさに構成されており、モータ固定部２７の収容空間２７Ａ内に、中継基板６０を取り付けるための基板取付部２８が設けられている。基板取付部２８は、収容空間２７Ａにおいて上側に設けられ、中継基板６０を後側から支持する複数(実施例では４つ)の支持ボス２８Ａを備えている。各支持ボス２８Ａの前端にはネジ孔２８Ｂが形成されており、中継基板６０に設けられたネジ挿通孔６４に挿通したネジを該ネジ孔２８Ｂにねじ込むことで、当該中継基板６０は、前面が上下方向に延在する向きで各支持ボス２８Ａの前側に固定される。
【００３５】
すなわち、基板取付部２８は、図３および図５に示すように、モータ固定部２７に固定された駆動モータ３２のモータ本体に対し、過電流保護素子７０が駆動モータ３２の異常過熱に伴う温度変化の影響が生じる程度に近接した姿勢で中継基板６０を固定支持するよう構成されている。また、モータ固定部２７の収容空間２７Ａは、該モータ固定部２７にモータ取付板３８を締結することで密閉されるから、駆動モータ３２が駆動中に異常過熱した場合には、該駆動モータ３２の熱により過電流保護素子７０の温度が上昇し易くなっている。従って、実施例のパチンコ機Ｐは、駆動モータ３２の異常過熱により発生した熱により過電流保護素子７０の温度がＴ℃より上昇した場合に、該過電流保護素子７０の抵抗値が高くなって、統括制御基板１０１Ａから駆動モータ３２への電気供給を制限するよう構成されている。
【００３６】
(実施例の作用)
実施例のパチンコ機Ｐは、図８に示すように、電源装置１０３の電源基板１０３Ａと統括制御基板１０１Ａとを電源線７５で接続し、該統括制御基板１０１Ａと駆動制御基板１０８とを第１配線４５で接続し、該駆動制御基板１０８と中継基板６０とを第２配線５０で接続し、該中継基板６０と駆動モータ３２とを第３配線５５で接続する。これにより、電源線７５、第１配線４５の電源線４６Ａ、第２配線５０の第３電線５１Ｃ、中継基板６０の第３プリント配線６１Ｃ、第３配線５５の第３電線５６Ｃにより、電源基板１０３Ａと第１コイル４０の第３コイル端４０Ｃとが電気的に接続される。また、第２配線５０の第１電線５１Ａ、中継基板６０の第１プリント配線６１Ａ、第３配線５５の第１電線５６Ａにより、接地側と第１コイル４０の第１コイル端４０Ａとが電気的に接続されると共に、第２配線５０の第２電線５１Ｂ、中継基板６０の第２プリント配線６１Ｂ、第３配線５５の第２電線５６Ｂにより、接地側と第１コイル４０の第２コイル端４０Ｂとが電気的に接続される。これにより、電源基板１０３Ａと駆動モータ３２の第１コイル４０とが、第１電源ラインＬ１により電気的に接続される。
【００３７】
一方、電源線７５、第１配線４５の電源線４６Ａ、第２配線５０の第４電線５１Ｄ、中継基板６０の第３プリント配線６１Ｃ、第３配線５５の第４電線５６Ｄにより、電源基板１０３Ａと第２コイル４１の第６コイル端４１Ｃとが電気的に接続される。また、第２配線５０の第５電線５１Ｅ、中継基板６０の第４プリント配線６１Ｄ、第３配線５５の第５電線５６Ｅにより、接地側と第２コイル４１の第４コイル端４１Ａとが電気的に接続されると共に、第２配線５０の第６電線５１Ｆ、中継基板６０の第５プリント配線６１Ｅ、第３配線５５の第６電線５６Ｆにより、接地側と第２コイル４１の第５コイル端４１Ｂとが電気的に接続される。これにより、電源基板１０３Ａと駆動モータ３２の第２コイル４１とが、第２電源ラインＬ２により電気的に接続される。
【００３８】
駆動制御基板１０８および駆動モータ３２に各々接続される中継基板６０は、図８に示すように、第３プリント配線６１Ｃ上に、過電流保護素子７０が面実装される。そして、中継基板６０は、図４および図６に示すように、設置部材２０のモータ固定部２７に設けられた基板取付部２８に対し、ボス２８Ａのネジ孔２８Ｂにネジをねじ込むことで取り付けられる。また、駆動モータ３２を固定したモータ取付板３８をモータ固定部２７にネジにより固定することで、図３および図８に示すように、駆動モータ３２が収容空間２７Ａ内に収容された状態で該モータ固定部２７に固定される。従って、中継基板６０の過電流保護素子７０は、駆動モータ３２の異常過熱に伴う熱による温度変化の影響が生じる位置に配置される。
【００３９】
前述のように構成された実施例の可動演出装置３０は、統括制御基板１０１Ａからの制御信号に基づいた駆動制御基板１０８の制御により、駆動モータ３２の第１コイル４０へのパルス信号および第２コイル４１へのパルス信号を所定のパターンで切り替え、各コイル４０,４１に所定のタイミングで電流を流して該コイル４０,４１を励磁させることで、該駆動モータ３２の駆動軸３２Ａが所要の回転速度で正転または逆転する。これにより、可動演出装置３０は、連係機構３３を介して駆動モータ３２と連係した可動体３１が、初期位置から作動位置に向けて下方へ移動したり、作動位置から初期位置に向けて上方へ移動する。
【００４０】
ここで、通常状態で駆動モータ３２が駆動している場合には、第１電源ラインＬ１および第２電源ラインＬ２に、過電流保護素子７０のトリップ電流値以下の電流が流れるから、過電流保護素子７０の温度はＴ℃以下に維持される。従って、過電流保護素子７０の抵抗値が低く維持されて、第１電源ラインＬ１および第２電源ラインＬ２を介して駆動モータ３２への電気供給が継続される。また、駆動モータ３２は、通常状態で駆動している場合には、モータ本体からの発熱量が抑えられるから、基板取付部２８に取り付けられた中継基板６０に実装された過電流保護素子７０の温度はＴ℃以下に維持される。従って、過電流保護素子７０の抵抗値が低く維持されて、第１電源ラインＬ１および第２電源ラインＬ２を介して駆動モータ３２への電気供給が継続される。これにより、可動演出装置３０は、統括制御基板１０１Ａおよび駆動制御基板１０８の制御に基づき、駆動モータ３２に対して電源装置１０３から電気が安定的に供給されて正常に作動する。
【００４１】
一方、駆動モータ３２に対して大きい負荷がかかったり、該駆動モータ３２に異常が発生して、第１電源ラインＬ１および第２電源ラインＬ２に過電流保護素子７０のトリップ電流値より大きい電流(過電流)が流れた場合には、該過電流保護素子７０の温度がＴ℃より高くなる。これにより、過電流保護素子７０の抵抗値が急激に高くなるから、第１電源ラインＬ１および第２電源ラインＬ２を介した駆動モータ３２への電気供給が制限され、該駆動モータ３２が停止する。
【００４２】
また、駆動モータ３２に対して大きい負荷がかかったり、該駆動モータ３２に異常が発生して、駆動モータ３２がＴ℃以上に異常過熱した場合には、駆動モータ３２に隣接して配置された中継基板６０に実装された過電流保護素子７０が、該駆動モータ３２から発生する熱により熱せられるから、過電流保護素子７０の温度がＴ℃より高くなる。これにより、過電流保護素子７０の抵抗値が高くなるから、第１電源ラインＬ１および第２電源ラインＬ２を介した駆動モータ３２への電気供給が制限され、該駆動モータ３２が停止する。
【００４３】
なお、第１電源ラインＬ１および第２電源ラインＬ２を介した駆動モータ３２への電気供給が制限された後に、過電流保護素子７０の温度がＴ℃以下になった場合や、停止した駆動モータ３２の温度が低下して過電流保護素子７０の温度がＴ℃以下になった場合には、過電流保護素子７０の抵抗値が再び低くなる。従って、過電流保護素子７０の温度がＴ℃以下となった場合には、統括制御基板１０１Ａ、駆動制御基板１０８および中継基板６０を介して駆動モータ３２の第１コイル４０および第２コイル４１に電気を供給することが可能となり、駆動モータ３２を再駆動させて可動演出装置３０を作動させることができる。
【００４４】
従って、実施例のパチンコ機Ｐによれば、可動演出装置３０の駆動モータ３２に対して大きい負荷がかかったり、該駆動モータ３２に異常が発生して、第１電源ラインＬ１または第２電源ラインＬ２に、過電流保護素子７０のトリップ電流値より大きい電流(過電流)が流れた場合や、駆動モータ３２がＴ℃以上に異常過熱した場合には、第１電源ラインＬ１および第２電源ラインＬ２に設けられた過電流保護素子７０の温度がＴ℃より高くなって該過電流保護素子７０の抵抗値が高くなることで、駆動モータ３２に対する電気供給を制限して該駆動モータ３２を強制的に停止させることができる。従って、可動演出装置３０の駆動モータ３２が異常過熱するのを短時間に抑えることができ、該駆動モータ３２の故障や破損を防止することができる。
【００４５】
そして、過電流保護素子７０は、該素子の温度がＴ℃より高くなって抵抗値が高くなっても、該過電流保護素子７０の温度がＴ℃以下まで降下すれば抵抗値が低くなって再利用可能であるから、交換作業を不要とすると共にコストを抑えることもできる。
【００４６】
また、実施例の構成によれば、駆動モータ３２および中継基板６０を連結する第３配線５５の第１コネクタ５７と該中継基板６０の第２中継コネクタ６３とを分離すると共に、駆動制御基板１０８および中継基板６０を連結する第２配線５０の第２コネクタ５３と該中継基板６０の第１中継コネクタ６２とを分離することで、過電流保護素子７０が配設された当該中継基板６０を基板取付部２８から取り外して再利用することが可能である。すなわち、過電流保護素子７０が実装された中継基板６０を、別のパチンコ機Ｐの中継基板として再利用することが可能であり、コストを抑えることができる。また、過電流保護素子７０が設けられた中継基板６０は、統括制御基板１０１Ａや駆動制御基板１０８と別体に構成されているから、取付位置や取付姿勢の自由度が高く、所望とする位置に配設することができる。
【００４７】
更に、実施例では、可動演出装置３０における駆動モータ３２の第１コイル４０に電気を供給するための第１電源ラインＬ１と、駆動モータ３２の第２コイル４１に電気を供給するための第２電源ラインＬ２とが、中継基板６０の第３プリント配線６１Ｃを共用していると共に、該第３プリント配線６１Ｃに１つの過電流保護素子７０を配設した。すなわち、第１電源ラインＬ１に過電流保護素子７０のトリップ電流値より大きい過電流が流れた場合には、該過電流保護素子７０の温度がＴ℃より上昇して抵抗値が高くなることで、該第１電源ラインＬ１および第２電源ラインＬ２に対する電気の供給を制限し得る。また、第２電源ラインＬ２に過電流保護素子７０のトリップ電流値より大きい過電流が流れた場合にも、該過電流保護素子７０の温度がＴ℃より上昇して抵抗値が高くなることで、第１電源ラインＬ１および該第２電源ラインＬ２に対する電気の供給を制限し得る。すなわち。１つ過電流保護素子７０を、第１電源ラインＬ１および第２電源ラインＬ２の各電源ラインで共用するので、各電源ライン毎に過電流保護素子を配設する必要がなく、コストを抑えることができる。
【００４８】
〔変更例〕
なお、遊技機の構成としては、実施例のものに限られるものではなく、種々の変更が可能である。
（１）本願が対象とする作動装置に備えられる電気的な駆動手段としては、実施例で例示したユニポーラタイプのステッピングモータに限らず、バイポーラタイプのステッピングモータや、サーボモータやＤＣモータ等の各種電気モータや、ロータリー式やリニア式の電磁ソレノイド等が対象とされる。
（２）過電流保護素子７０が設けられた中継基板６０は、図１０に示すように、統括制御基板１０１Ａと駆動制御基板１０８との間に配設して、該統括制御基板１０１Ａおよび駆動制御基板１０８の各々に電気的に接続するようにしてもよい。
（３）過電流保護素子７０は、統括制御基板１０１Ａにおける電源ライン用のプリント配線上に実装したり、駆動制御基板１０８における電源用のプリント配線上に実装してもよい。また、過電流保護素子７０は、第１配線４５の電源線４６Ａ上、第２配線５０の第３電線５１Ｃまたは第４電線５１Ｄ上、第３配線５５の第３電線５６Ｃまたは第４電線５６Ｄ上に配設してもよい。
（４）過電流保護素子７０は、第１電源ラインＬ１および第２電源ラインＬ２の共用部分に１つだけを実装する形態に限らず、第１電源ラインＬ１および第２電源ラインＬ２の各々に１つずつ個別に実装するようにしてもよい。
（５）過電流保護素子７０は、中継基板６０に面実装されるチップタイプに限らず、該中継基板６０に各脚部を差し込んではんだ付けされる端子挿入タイプ等を採用してもよい。また、過電流保護素子７０は、駆動モータ３２の定格電圧、定格電流等に応じて、適切な規格のものが使用される。
（６）モータ固定部２７に設けられた基板取付部２８は、実施例で例示した形態に限らず、例えば該モータ固定部２７を形成する壁部内面に、過電流保護素子７０が駆動モータ３２のモータ本体側に向いた姿勢で固定するようにしてもよい。
（７）基板取付部２８は、モータ固定部２７から離れた位置に設けて、該モータ固定部２７に固定した駆動モータ３２から離れた位置に中継基板６０を配設するようにしてもよい。
（８）モータ固定部２７は、収容空間２７Ａが壁部およびモータ取付板３８により密閉されていなくてもよく、該モータ固定部２７の壁部やモータ取付板３８に開口が形成されたり、駆動モータ３２が設置部材２０の空間２４に露出していてもよい。
（９）作動装置としての可動演出装置３０は、図１１に示すように、可動体３１と駆動モータ３２とがベース体７６に各々配設されてユニット化され、該ベース体７６を設置部材２０に固定するタイプであってもよい。このような可動演出装置３０では、ベース体７６に、モータ固定部２７および基板取付部２８が設けられている。
（１０）図１２に示すように、複数基(図１２では３基)の駆動手段３２を有する作動装置３０を備えた遊技機においては、各駆動手段３２に該駆動手段３２の駆動用の電気を供給するための各電源ラインＬに共用部分８０を設けて、該共用部分８０に１つの過電流保護素子７０を配設するようにしてもよい。この場合には、各駆動手段３２のうちの何れかに異常が発生して、電源ラインＬに過電流保護素子７０のトリップ電流値より大きい過電流が流れた場合には、該過電流保護素子７０の温度が上昇して抵抗値が高くなることで、各駆動手段３２に対する電気供給が制限されて当該作動装置３０を適切に停止させることができる。なお、駆動手段３２を備えた複数の作動装置３０を備えた遊技機においては、各作動装置３０の駆動手段３２に該駆動手段３２の駆動用の電気を供給するための各電源ラインＬに共用部分を設けて、該共用部分に１つの過電流保護素子７０を配設するようにしてもよい。
（１１）作動装置としては、実施例で例示した可動体３１を備えた可動演出装置に限らず、電動式の駆動手段である駆動モータを備えたドラム式の図柄表示装置またはベルト式の図柄表示装置や、電気式の駆動手段である電磁ソレノイドを備えた打球発射装置および球送り装置等も対象とされる。
（１２）遊技機は、実施例で例示したパチンコ機に限られるものではなく、スロットマシンであってもよい。
【符号の説明】
【００４９】
２８ 基板取付部
３０ 可動演出装置(作動装置)
３２ 駆動モータ(電気式の駆動手段)
６０ 中継基板
６１Ｃ プリント配線(配線パターン)
７０ 過電流保護素子
１０３ 電源装置(電気供給手段)
Ｌ 電源ライン
Ｌ１ 第１電源ライン(電源ライン)
Ｌ２ 第２電源ライン(電源ライン)
【図１】
2014223214.tif 000003
【図２】
2014223214.tif 000004
【図３】
2014223214.tif 000005
【図４】
2014223214.tif 000006
【図５】
2014223214.tif 000007
【図６】
2014223214.tif 000008
【図７】
2014223214.tif 000009
【図８】
2014223214.tif 000010
【図９】
2014223214.tif 000011
【図１０】
2014223214.tif 000012
【図１１】
2014223214.tif 000013
【図１２】
2014223214.tif 000014